(57)【特許請求の範囲】
【請求項１】
ハチに摂食させて帰巣させるための毒餌剤を収容するための容器であって、
前記容器の内部空間に連通し上方を向いた開口が形成される蓋部と、
前記開口の上方に空間を隔てて設けられるように構成された屋根体と、
ハチが着地するためのポート部であって、下方に傾斜され、傾斜面に凹凸が形成されている傾斜部を有するポート部とを更に備える、
容器。
【請求項２】
前記容器の上部には、円形の開口が形成されており、
上面視において、前記ポート部は、前記容器の開口の開口縁から突出して設けられる、
請求項１に記載の容器。
【請求項３】
上面視において、前記ポート部は、前記容器の開口の開口縁から１０〜２０ｍｍ突出して設けられる、
請求項２に記載の容器。
【請求項４】
前記傾斜面には、表面から突出する複数の凸部であって、上面視において、前記容器の開口中心を中心とする同心円上に形成される複数の凸部が形成される、
請求項２又は３に記載の容器。
【請求項５】
前記容器は、ハチを誘引するための誘引剤を更に収容可能に構成されており、
前記屋根体は、前記蓋部との間隙の空間に揮発した前記誘引剤の少なくとも一部が滞留するように構成されている、
請求項１に記載の容器。
【請求項６】
ハチ捕獲器を吊り下げるための吊部を更に備える、
請求項１乃至５の何れか一項に記載の容器。
【請求項７】
前記ポート部は、全周に亘って形成される、
請求項１乃至６の何れか一項に記載の容器。
【発明の詳細な説明】
【技術分野】
【０００１】
本発明は、ハチ捕獲器に関する。
【背景技術】
【０００２】
従来より、ススメバチなどのハチを捕獲するためのハチ捕獲器が考案されている。
【０００３】
特許文献１には、忌避性の少ない殺虫剤を配合した液状の害虫誘引捕獲組成物を用いた害虫誘引捕獲器が開示されている。同文献の図１に示されるように、害虫誘引捕獲組成物を収納する容器上部の開口部に係合する蓋体には、害虫が容器内部に侵入するための捕獲口が形成されている。
【０００４】
特許文献２には、誘引捕獲液の誘引作用によって入り込んだハチが捕獲口より外に飛び出すのを極力なくすことを目的として、蓋と容器との可視光透過率を規定したハチ類誘引捕獲器が開示されている。同文献の図３に示されるように、誘引捕獲液を収納する容器の開口部に係合する蓋体には、ハチ類が容器内部に侵入するための捕獲口が形成されている。
【先行技術文献】
【特許文献】
【０００５】
【特許文献１】特開２００４−７３１４４号公報
【特許文献２】特開２００７−１７４９６４号公報
【発明の概要】
【発明が解決しようとする課題】
【０００６】
しかしながら、本発明者らは、従来構造のハチ捕獲器に収納されるハチ誘引剤に誘引されて飛来したハチが、着地する場所を探すような挙動をとる場合があり、また、飛来したハチが着地を諦めて飛び去ってしまう場合があることを知見し、これがハチの捕獲に影響を及ぼすことがわかった。
【０００７】
そこで本発明は、ハチが良く捕獲できるように、ハチが着地しやすい構造を備えるハチ捕獲器を提供することを目的とする。
【課題を解決するための手段】
【０００８】
本発明者らは、上記課題を解決するために鋭意検討を行い、下記構造を備えるハチ捕獲器を発明した。
【０００９】
具体的には、本発明の一の実施態様では、内部空間にハチを誘引又は殺虫するための薬剤を収容するための容器と、容器の内部空間に連通する捕獲口が形成される蓋部と、ハチが着地するためのポート部と、を備えるハチ捕獲器を提供する。
【００１０】
なお、本発明における「ハチの捕獲」とは、広義に、ハチを一時的に容器の内部に捕らえる場合を含む。例えば、ハチを一時的に容器の内部に捕らえ、毒餌剤をハチに摂食させて、帰巣させる場合を含む。
【００１１】
ポート部は、捕獲口から離れる方向に延設されることが好ましい。捕獲口は、上方（斜め上方を向く場合も含む）、又は、側方に開口するように設けられてもよい。ポート部は、捕獲口から離れるほど、下方に傾斜する傾斜部を備えていてもよい。ポート部が傾斜部を備えることにより、傾斜部に着地したハチが捕獲口に向かって歩行することを促すことができる。
【００１２】
ポート部と蓋部は一体的に設けられてもよい。ポート部と蓋部は、別体として設けられてもよい。両者を一体的に設けることにより、蓋部の表面とポート部の表面を連続的に形成することが可能になる。したがって、ポート部に着地したハチは、容易に、捕獲口に向かって歩行することが可能になる。
【００１３】
なお、本明細書で用いる、上方、下方、側方及び離れる方向等の方向を示す用語は、ハチ捕獲器を使用する際の方向を示している。
【００１４】
容器は、ハチ誘引剤又はハチ殺虫剤を収容する。使用前に、容器とは別の袋等にハチ誘引剤又はハチ殺虫剤が収容されていてもよい。
【００１５】
また、捕獲口とポート部は、それぞれ複数設けられていてもよい。蓋部には、容器の内部空間に連通する第２捕獲口が形成されていてもよい。ハチ捕獲器は、ハチが着地するための第２ポート部を更に備えてもよい。捕獲口と第２捕獲口は、上面視において、蓋部の中心を通過する軸に対し回転中心に設けられてもよい。ポート部と第２ポート部は、上面視において、蓋部の中心を通過する軸に対し回転中心に設けられてもよい。
【００１６】
また、複数の捕獲口とポート部を設ける場合、上面視において、２つのポート部の各先端を結ぶ直線は、２つの捕獲口を横断するように構成してもよい。本明細書で用いる「ポート部の先端」とは、上面視において、ポート部のうち、開口縁から最も遠い点として定義される。開口縁から最も遠い点が複数存在する場合、ポート部の先端は、そのような点のうち、捕獲口から最も近い点として定義される。
【００１７】
ポート部が傾斜部を有する場合、その表面の傾斜面には、凹凸が形成されていてもよい。たとえば、シボが形成されていてもよい。シボを形成することによって、ハチの肢に引っ掛かりやすい凹凸を設けることが可能になる。また、シボに替えて、ポート部の表面から突出する１又は複数の凸部を設けてもよい。
【００１８】
ハチ捕獲器は、更に、捕獲口の上方に空間を隔てて設けられる屋根体を備えてもよい。屋根体を備えることにより、雨等が捕獲口から容器内部に入り込み、ハチ誘引剤等の濃度その他の特性が変化することを抑制することが可能になる。なお、蓋部は、屋根体を支持するために、一部において屋根体と接触し、又は、屋根体と一体的に形成されていてもよい。
【００１９】
また、上面視において、ポート部は、屋根体から突出する部分を備えてもよい。このような構成とすることにより、上方から飛来したハチは、ポート部を容易に視認することが可能になる。
【図面の簡単な説明】
【００２０】
【図１】ハチ捕獲器１０の斜視図
【図２】ハチ捕獲器１０の正面図
【図３】屋根体１２を取り外したハチ捕獲器１０の側面図
【図４】ハチ捕獲器１０の平面図
【図５】屋根体１２を取り外したハチ捕獲器１０の平面図
【発明を実施するための形態】
【００２１】
以下、本発明の実施形態について図面を用いて説明する。以下の実施形態は、本発明を説明するための例示であり、本発明をその実施形態のみに限定する趣旨ではない。
［第１実施形態］
【００２２】
図１は、第１実施形態に係るハチ捕獲器１０の斜視図である。図２は、ハチ捕獲器１０の正面図、図３は、ハチ捕獲器１０の側面図、図４及び図５は、ハチ捕獲器１０の平面図（上面図）である。ただし、図３及び図５におけるハチ捕獲器１０は、屋根体１６を取り外している。
【００２３】
これら図面に示されるように、ハチ捕獲器１０は、容器１２、蓋体１４及び屋根体１６を備えている。
【００２４】
容器１２は、図２に示されるように、底面から離れるほど径大となる逆テーパ状の側面を備える筒状の容器である。容器１２の上部には、円形の開口が形成されている。たとえば、容器１２の底面から上端までの高さは、５０ｍｍ乃至１５０ｍｍである。また、容器１２の外周面は平滑に形成されている。
【００２５】
この容器１２の内部空間には、たとえば、ハチ目スズメバチ科のハチであるスズメバチ又はアシナガバチを誘引するためのハチ誘引剤（「薬剤」の一例）を収容することが可能になる。ハチ誘引剤は、たとえば、果汁成分又は樹液成分など、ハチを誘引する効果があると知られている成分を含む液状の誘引剤を用いることができる。ハチ誘引剤は、ハチを殺虫するための殺虫成分と混合されてもよい。
【００２６】
蓋体１４は、蓋部１４Ｌと、蓋部１４Ｌに接続される２つの第１ポート部１４Ｐ１及び第２ポート部１４Ｐ２とを備える。本実施形態において、蓋部１４Ｌ、第１ポート部１４Ｐ１及び第２ポート部１４Ｐ２は、樹脂成形により一体的に形成されている。しかしながら、それぞれ分離可能な別部品から構成してもよい。
【００２７】
蓋部１４Ｌは、蓋体１４のうち、容器１２に係合し、容器１２の開口を覆う機能を有する部分である。また、蓋部１４Ｌには、容器１２内にハチを侵入させるための２つの捕獲口Ｈ１及び捕獲口Ｈ２が形成される。
【００２８】
具体的には、蓋部１４Ｌは、容器１２と係合する係合部１４Ａ（図１）と、図５に示されるとおり、捕獲口Ｈ１が形成される第１平坦部１４Ｂ１と、捕獲口Ｈ２が形成される第２平坦部１４Ｂ２と、第１平坦部１４Ｂ１から立設する第１壁部１４Ｃ１と、第２平坦部１４Ｂ２から立設する第２壁部１４Ｃ２と、第１壁部１４Ｃ１の傾斜する上辺と第２壁部１４Ｃ２の傾斜する上辺とを接続する傾斜面部１４Ｄを備える。
【００２９】
係合部１４Ａは、容器１２の開口を形成する開口縁と係合する部分である。蓋部１４Ｌと容器１２を係合するための手段として、様々な手段を用いることができる。たとえば、いずれかにノッチを形成し、他方にこのノッチが係合する切欠きを設け、蓋部１４Ｌを容器１２に対して相対的に回転させると、ノッチが切欠きに係合し、蓋部１４Ｌが容器１２に装着され反対方向への回転を抑制するようにしてもよい。また、蓋部１４Ｌに雌ねじを形成し、容器１２の上縁部にこの雌ねじに螺合する雄ねじを形成してもよい。また、容器１２の内部空間にハチ誘引剤を収納させた状態で、接着剤等で両者を接着させてもよい。
【００３０】
第１平坦部１４Ｂ１は、上方を向いた平坦面を備える。また第１平坦部１４Ｂ１には、上方を向いて開口する捕獲口Ｈ１が形成される。図５に示されるように、第１平坦部１４Ｂ１は、上面視において扇形状に形成されており、容器１２の開口中心側から径方向外側に伸びて容器１２の開口縁上に到達する２つの辺を有する。また、捕獲口Ｈ１は、上面視において、開口縁から離間し、開口中心に近い位置に形成される。捕獲口Ｈ１の直径は、捕獲したいハチの大きさを考慮して、たとえば、１５〜２５ｍｍに形成される。なお、第１平坦部１４Ｂ１は、容器１２の開口縁に到達しないように設けてもよい。例えば、第１平坦部１４Ｂ１と容器１２の開口縁との間に傾斜する面を設け、この傾斜する面によって、第１平坦部１４Ｂ１と容器１２を接続するようにしてもよい。
【００３１】
第１壁部１４Ｃ１は、第１平坦部１４Ｂ１から立設して形成される。第１壁部１４Ｃ１と第１平坦部１Ｂ１の接続部は、上面視において、開口縁上の離間する２点を接続し、開口中心に向かって凸となる曲線を有する。したがって、第１壁部１４Ｃ１は水平方向を向き、開口中心方向に窪む湾曲した曲面を有する。図３に示されるように、第１壁部１４Ｃ１は、捕獲口Ｈ１近傍において最大の高さを有し、捕獲口から離れ開口縁に近づくほど高さが小さくなり、開口縁上で高さがほぼゼロになるように傾斜する２つの上辺を有する。
【００３２】
第１ポート部１４Ｐ１は、第１平坦部１４Ｂ１と開口縁上で接続し、開口から離れるように外径方向に突出して形成される。図２に示されるように、第１ポート部１４Ｐ１は、開口から離れるほど、下方に傾斜する傾斜部を備えている。また図３に示されるように、中央部において捕獲口及び開口縁からの突出量が最大になり、中央部から離れ、端部に近づくほど開口縁からの突出量が小さくなる。
【００３３】
ただし第１ポート部１４Ｐ１として、様々な形状のものを適用することができる。たとえば、開口縁からの距離が一定となるように第１ポート部１４Ｐ１を設けてもよい。
【００３４】
上面視において、第１ポート部１４Ｐ１の開口縁からの最大突出量は、たとえば、捕獲口の直径の半分以上であることが好ましい。このように構成することによって、捕獲対象のハチは、少なくとも前肢を第１ポート部に引っ掛けることが可能になる。本実施形態では、捕獲口の直径は、１５〜２５ｍｍであり、上面視における第１ポート部の開口縁からの最大突出量は、１０〜２０ｍｍである。
【００３５】
また、第１ポート部１４Ｐ１の傾斜部表面には、シボ加工により、シボが形成されていてもよい。シボ加工されていれば、捕獲対象のハチは、前肢等を容易に引っ掛けることが可能になる。なお、シボに替えて、又は、シボと共に、第１ポート部１４Ｐ１の傾斜部表面には、表面から突出する凸部を設けてもよい。凸部は、上面視において、容器１２の開口中心を中心とする同心円上に形成してもよい。更に凸部は、複数設けてもよい。たとえば、上面視において、容器１２の開口中心を中心とする二つの同心円上にそれぞれ凸部を形成してもよい。更に、上面視において、開口縁、開口縁側に形成される一つ目の凸部、この凸部から離間して外径側に形成される二つの凸部を等間隔に形成してもよい。
【００３６】
図５に示されるように、第２平坦部１４Ｂ２、捕獲口Ｈ２、第２壁部１４Ｃ２、第２ポート部１４Ｐ２は、第１平坦部１４Ｂ１、捕獲口Ｈ１、第１壁部１４Ｃ１、第１ポート部１４Ｐ１と、上面視における開口中心を軸として１８０度回転対称に形成される。このため詳細な説明を省略する。また、上面視において、第１ポート部１４Ｐ１の開口縁から最も離れた先端と、第２ポート部１４Ｐ２の開口縁から最も離れた先端を結ぶ直線（開口中心を通過し、紙面左右方向に進む直線）は、捕獲口Ｈ１及び捕獲口Ｈ２を通過する。
【００３７】
上面視において、開口中心を通過する軸上には、上方に向かって突出する吊部１４Ｅが形成される（図１）。吊部１４Ｅには、ハチ捕獲器１０を吊り下げるための穴が形成されている。
【００３８】
また、第１壁部１４Ｃ１の傾斜する上辺と、第２壁部１４Ｃ２の傾斜する上辺を接続するように傾斜面部１４Ｄ（図３、図５）は設けられている。傾斜面部１４Ｄは、略円錐面状の傾斜面を備えている。
【００３９】
更にハチ捕獲器１０は、屋根体１６を備えている。屋根体１６は、捕獲口Ｈ１及び捕獲口Ｈ２の上方を覆うように設けられている。本実施形態においては、図４の上面視に示されるように、捕獲口Ｈ１及び捕獲口Ｈ２を含む蓋部１４Ｌ全体は、屋根体１６によって覆われている。一方で、第１ポート部１４Ｐ１及び第２ポート部１４Ｐ２の先端は、屋根体１６から突出する。なお屋根体１６の中心部には、吊部１４Ｅと係合するための係合孔が形成される。
【００４０】
以上のようなハチ捕獲器１０の使用方法の一例について以下に説明する。
【００４１】
使用者は、別の袋等に入っているハチ誘引剤を開封して容器１２内に入れ、水で薄めることにより、ハチを誘引するために適切な濃度を有する液状のハチ誘引剤を容器１２内に収容させることができる。
【００４２】
次いで使用者は、蓋体１４を容器１２と係合させた後、蓋体１４に屋根体１６を係合させる。なお、蓋体１４と容器１２を係合するための手段として、様々な手段を用いることができる。たとえば、いずれかに凸部を形成し、他方にこの凸部が係合するノッチを設け、蓋体１４を容器１２に対して相対的に回転させるか、蓋体１４が容器１２に近づくように相対的に移動させると、凸部がノッチに係合し、蓋体１４が容器１２に装着され、容器１２が蓋体１４に対して相対的に移動することを抑制するようにしてもよい。また、蓋体１４に雌ねじを形成し、容器１２の上縁部にこの雌ねじに螺合する雄ねじを形成してもよい。また、容器１２の内部空間にハチ誘引剤を収納させた状態で、接着剤等で両者を接着させてもよい。回転することにより蓋体１４と容器１２を係合する場合、容器１２の開口は円形であることが好ましい。回転せずに蓋体１４と容器１２を係合する場合、容器１２の開口は円形に限られず、たとえば、矩形、六角形等の多角形であってもよい。また、容器１２（又は蓋体１４）の一方に、蓋体１４方向（又は容器１２方向）に突出する係合爪を設け、蓋体１４（又は容器１２）に、係合爪と嵌合する係合穴を設け両者を嵌合することにより係合させてもよい。次いで使用者は、ハチが飛来しそうな場所において、吊部１４Ｅの穴に紐等を通してハチ捕獲器１０を吊り下げることにより、ハチ捕獲器１０を設置する。
【００４３】
その後、容器１２内のハチ誘引剤は、揮発して捕獲口Ｈ１及び捕獲口Ｈ２から容器１２の外部に排出される。捕獲口Ｈ１及び捕獲口Ｈ２の上方には屋根体１６が設けられているため、揮発したハチ誘引剤の一部は、屋根体１６と蓋体１４との間隙の空間に滞留する。また、傾斜面部１４Ｄと屋根体１６との間隙（傾斜面部１４Ｄの屋根体１６に対向する傾斜面と、屋根体１６の傾斜面部１４Ｄに対向する内面との高さ方向の距離）は、捕獲口Ｈ１又は捕獲口Ｈ２と屋根体１６との間隙（捕獲口Ｈ１（又は捕獲口Ｈ２）と、屋根体１６の捕獲口Ｈ１（又は捕獲口Ｈ２）に対向する内面との高さ方向の距離）より小さい。このため、傾斜面部１４Ｄと屋根体１６との狭い空間を傾斜面に沿って流れる気流は、第１平坦部１４Ｂ１と屋根体１６で囲まれる空間に流れ込み、又は、第２平坦部１４Ｂ２と屋根体１６で囲まれる空間に流れ込むことを促進すると推察される。このため、もともとこの空間に滞留していた誘引剤を第１ポート部１４Ｐ１等に向かって排出されることが可能になると推察される。
【００４４】
ハチ捕獲器１０の周囲を飛んでいるハチは、第１平坦部１４Ｂ１又は第２平坦部１４Ｂ２と屋根体１６との間隙から排出されるハチ誘引剤に誘引されて、第１平坦部１４Ｂ１又は第２平坦部１４Ｂ２に近づく。このとき、第１ポート部１４Ｐ１及び第２ポート部１４Ｐ２の先端は、屋根体１６から突出するため、ハチは、第１ポート部１４Ｐ１又は２ポート部１４Ｐ２を視認しやすくなる。また、第１平坦部１４Ｂ１には第１ポート部１４Ｐ１が接続され、第２平坦部１４Ｂ２には第２ポート部１４Ｐ２が接続される。このため、第１ポート部１４Ｐ１等が無い場合と比較して、ハチは、蓋体１４に着地しやすくなる。したがって、着地することなくハチが飛び去ってしまう場合を抑制することが可能になる。
【００４５】
たとえば、第１ポート部１４Ｐ１に着地したハチは、捕獲口Ｈ１に向かって歩行する。このとき、第１ポート部１４Ｐ１は、捕獲口Ｈ１から離れるほど、下方に傾斜する傾斜部を備えている。このため、習性として負の走地性を有するハチの場合、ハチが捕獲口Ｈ１に向かって歩行することを促進させることができる。その後ハチは、捕獲口Ｈ１から容器１２内に侵入する。容器１２内には、液状のハチ誘引剤が満たされている。また、容器１２の内壁には、水滴等が付着している。このためハチは、容器１２の内壁を上って外に出ることができず、やがて、溺死する。
【００４６】
以上のとおり、本実施形態に係るハチ捕獲器１０によれば、第１ポート部１４Ｐ１又は第２ポート部１４Ｐ２が設けられているため、これらポート部が設けられていないハチ捕獲器と比較して、ハチを蓋体１４に着地しやすくすることが可能になる。
【００４７】
なお、ポート部の位置、形、数は、通常の創作能力の発揮内で適宜変更可能である。たとえば、ポート部は、水平方向に延設してもよい。また、ポート部は、１個でもよいし、３個でもよい。更に、ポート部を全周に亘って形成してもよい。また、捕獲対象のハチが体長３０乃至４５ｍｍ程度のオオスズメバチの場合、ポート部の開口縁から離れる方向の大きさは、３乃至５０ｍｍ程度とすることが好ましい。また、上面視におけるポート部の開口縁からの突出量は、３乃至５０ｍｍ程度とすることが好ましい。さらに、屋根体１６を設置する場合に、上面視における屋根体１６からの突出量は３〜５０ｍｍであることが好ましい。また、捕獲口の数は、１又は複数であってもよい。ただし、回転対称に２つの捕獲口を設けたことによって、反対方向から飛来したハチであっても、捕獲しやすくなる。また、屋根体１６を設け、傾斜面部１４Ｄと屋根体１６の間隔を狭くする一方、捕獲口Ｈ１等及び第１平坦部１４Ｂ１等と屋根体１６との間隔を大きくした。このため、傾斜面部１４Ｄと屋根体１６の間隙を傾斜面部１４Ｄの傾斜面に沿って進行する気流が生じやすくなると推察される。この気流に乗せることによって、揮発して捕獲口Ｈ１又は捕獲口Ｈ２から排出され滞留していた薬剤を第１平坦部１４Ｂ１又は第２平坦部１４Ｂ２から外方へ向かう方向に排出しやすくなると推察される。
【００４８】
また、本願の発明者らは、ハチが着地後に入口を探し回る挙動を見せる場合がある点に着目した。本実施形態に係るハチ捕獲器１０は、第１平坦部１４Ｂ１又は第２平坦部１４Ｂ２に直接接続される第１ポート部１４Ｐ１又は第２ポート部１４Ｐ２を備える。このため、第１ポート部１４Ｐ１等に着地したハチは、捕獲口Ｈ１（又は捕獲口Ｈ２）が形成される第１平坦部１４Ｂ１（又は第２平坦部１４Ｂ２）に向かって容易に進行することが可能になる。特に、第１平坦部１４Ｂ１と第１ポート部１４Ｐ１が一体的に形成され、滑らかに接続される曲面又は平面によって接続されている部分が存在する場合、ハチは容易に歩行することが可能になる。
【００４９】
屋根体１６は、捕獲口Ｈ１及び捕獲口Ｈ２から容器１２内部に雨水等が入り込んでハチ誘引剤等の薬剤の濃度が低下することを抑制することが可能になる。ただし、屋内などにハチ捕獲器１０を設置する場合、必ずしも屋根体１６を設けなくてもよい。
【００５０】
屋根体１６を設ける場合、屋根体１６は、蓋体１４と一体的に形成されてもよい。また、屋根体１６は、捕獲口Ｈ１等から容器１２内部に雨水等が入り込むことを防げばよいので、例えば、円板状に形成してもよい。
【００５１】
本願の発明者らは、ハチ捕獲器１０の比較例として、ポート部１４Ｐ１及びポート部１４Ｐ２を備えない点を除いてハチ捕獲器１０と同一構造を備える比較用ハチ捕獲器を用いて、ハチの捕獲頭数を比較する実験を行った。
【００５２】
ハチ捕獲器１０と比較用ハチ捕獲器に同一のハチ誘引剤を入れて、複数のハチ捕獲器１０と比較用ハチ捕獲器を数メートル間隔で配置し、２週間後のハチの捕獲頭数をカウントした。その結果、ハチ捕獲器１０の方がより多くのハチを捕獲することができた。したがって、ハチ捕獲器１０において、ポート部１４Ｐ１及びポート部１４Ｐ２を備えたことにより、ハチをより容易に着地させ、捕獲することが可能になる。
【００５３】
また、本発明は、その要旨を逸脱しない限り、さまざまな変形が可能である。たとえば、当業者の通常の創作能力の範囲内で、ある実施形態における一部の構成要素を、他の実施形態に追加することができる。また、ある実施形態における一部の構成要素を、他の実施形態の対応する構成要素と置換することができる。
【符号の説明】
【００５４】
１０  ハチ捕獲器
１２  容器
１４  蓋体
１４Ａ  係合部
１４Ｂ１  第１平坦部
１４Ｂ２  第２平坦部
１４Ｃ１  第１壁部
１４Ｃ２  第２壁部
１４Ｄ  傾斜面部
１４Ｅ  吊部
１４Ｌ  蓋部
１４Ｐ１  第１ポート部
１４Ｐ２  第２ポート部
１６  屋根体
Ｈ１  捕獲口
Ｈ２  捕獲口
【図１】
0006964815.tif 000002
【図２】
0006964815.tif 000003
【図３】
0006964815.tif 000004
【図４】
0006964815.tif 000005
【図５】
0006964815.tif 000006